【手続補正書】
【提出日】平成22年7月7日(2010.7.7)
【手続補正１】
【補正対象書類名】特許請求の範囲
【補正対象項目名】全文
【補正方法】変更
【補正の内容】
【特許請求の範囲】
【請求項１】
アドホックネットワークにおいて無線デバイスを動作させるための方法であって、
近隣の無線デバイスによる発見を可能にし、かつ近隣の無線デバイスを受動的に発見するように、前記無線デバイスを発見可能モードで動作させるステップを含む、無線アクセス・ポイント又は有線ネットワークを使用することなく無線デバイスが互いに直接的に通信するアドホック動作モードで前記無線デバイスを動作させるステップであって、前記発見可能モードで動作させるステップは、前記発見可能モードの間に、前記無線デバイスの無線装置が電源を入れられる周期的な発見間隔の発見ウィンドウと前記無線デバイスの前記無線装置が電源を切られる前記周期的な発見間隔の節電モードとの間で交互に動作するステップを含み、近隣の無線デバイスによる発見を可能にし且つ近隣の無線デバイスの受動的な発見を可能にしている間、電力は前記発見可能モードにおいて節約される、ステップと、
能動的な発見モード又は前記発見可能モードにある近隣の無線デバイスを能動的に発見するように、前記無線デバイスを能動的な発見モードで動作させるステップとを含む方法。
【請求項２】
前記無線デバイスを前記発見可能モードで動作させる前記ステップは、
前記発見ウィンドウの間、プローブ要求パケットをリスンするステップと、
受信されたプローブ要求パケットが確認され、現在の発見ウィンドウにおいてプローブ応答パケットが送信されていない場合、識別情報を含むプローブ応答パケットを送信するステップと、
そうでなければ、プローブ応答パケットを送信しないステップとを含む、請求項１に記載の方法。
【請求項３】
前記無線デバイスを前記能動的な発見モードで動作させる前記ステップは、
前記能動的な発見モードの起動に応答して、能動的な発見期間の間、前記無線デバイスの無線装置をオンにするステップと、
他の無線デバイスが現在のプローブ間隔中のより前の段階においてプローブ要求パケットを送信していない場合、前記能動的な発見期間の各能動プローブ間隔の間、プローブ要求パケットを送信するステップと、
前記能動的な発見期間の間に受信された受信プローブ応答パケットをリスンするステップと、
前記受信プローブ応答パケットの各々に含まれる情報を保存するステップと、
前記能動的な発見期間が終了すると、前記発見可能モードに戻るステップとを含む、請求項１に記載の方法。
【請求項４】
ワイヤレス動作の起動に応答して、前記無線デバイスの無線装置をオンにするステップと、
一定時間の間ビーコンパケットをリスンするステップと、
ビーコンパケットが前記一定時間内に受信される場合、前記ビーコンパケットにおいて受信されたパラメータに従って、前記発見ウィンドウのタイミングを調節するステップと、
ビーコンパケットが前記一定時間内に受信されない場合、ビーコンパケットを送信するステップとをさらに含む請求項１に記載の方法。
【請求項５】
前記無線デバイスを前記発見可能モードで動作させる前記ステップは、
ランダムなバックオフ時間の間、ビーコンパケットをリスンするステップと、
ビーコンパケットが前記ランダムなバックオフ時間内に受信される場合、前記受信されたビーコンパケット中のパラメータに従って前記発見ウィンドウのタイミングを調節するステップと、
ビーコンパケットが前記ランダムなバックオフ時間内に受信されない場合、ビーコンパケットを送信するステップと、
前記発見ウィンドウの間、プローブ要求パケットをリスンするステップと、
受信されたプローブ要求パケットに関連する情報を保存するステップと、
前記無線デバイスが前記現在の発見ウィンドウにおいてプローブ応答パケット又はビーコンパケットを送信していない場合に、プローブ応答パケットを送信するステップとを含む、請求項１に記載の方法。
【請求項６】
前記無線デバイスを前記能動的な発見モードで動作させる前記ステップは、
前記能動的な発見モードの起動に応答して、前記周期的な発見間隔の前記発見ウィンドウの間、前記無線デバイスの前記無線装置をオンにするステップと、
前記発見ウィンドウの間、ブロードキャスト要求パケットを送信するステップと、
前記ブロードキャスト要求パケットに応答して、他の無線デバイスによって送信された応答パケットに含まれる情報を保存するステップとを含む、請求項１に記載の方法。
【請求項７】
計算装置と、
無線装置と、
前記計算装置及び前記無線装置に論理的に接続された無線モジュールとを含む無線デバイスであって、前記無線モジュールは、
近隣の無線デバイスによる発見を可能にし、かつ近隣の無線デバイスを受動的に発見するように、前記無線デバイスを発見可能モードで動作させることを含む、無線アクセス・ポイント又は有線ネットワークを使用することなく無線デバイスが互いに直接的に通信するアドホック動作モードで前記無線デバイスを動作させ、
能動的な発見モード又は前記発見可能モードにある近隣の無線デバイスを能動的に発見するように、前記無線デバイスを能動的な発見モードで動作させる
ための命令でプログラムされたプロセッサを含み、前記発見可能モードで動作させることは、前記発見可能モードの間に、前記無線デバイスの無線装置が電源を入れられる周期的な発見間隔の発見ウィンドウと前記無線デバイスの前記無線装置が電源を切られる前記周期的な発見間隔の節電モードとの間で交互に動作させることを含み、近隣の無線デバイスによる発見を可能にし且つ近隣の無線デバイスの受動的な発見を可能にしている間、電力は前記発見可能モードにおいて節約され、前記無線デバイスを前記発見可能モードで動作させることは、
前記発見可能モードの間にプローブ要求パケットをリスンすること、
受信されたプローブ要求パケットが確認され、現在の発見ウィンドウにおいてプローブ応答パケットが送信されていない場合、識別情報を含むプローブ応答パケットを送信すること、及び
そうでなければ、プローブ応答パケットを送信しないことを含む、無線デバイス。
【請求項８】
前記無線デバイスを前記能動的な発見モードで動作させるための前記命令は、 
前記能動的な発見モードの起動に応答して、能動的な発見期間の間、前記無線装置をオ
ンにし、
他の無線デバイスが現在のプローブ間隔中のより前の段階でプローブ要求パケットを送信していない場合に、前記能動的な発見期間の各能動プローブ間隔の間、プローブ要求パケットを送信し、
前記能動的な発見期間の間に受信された受信プローブ応答パケットをリスンし、
前記受信プローブ応答パケットの各々に含まれる情報を保存し、
前記能動的な発見期間が終了すると、前記発見可能モードに戻る
ための命令を含む、請求項７に記載の無線デバイス。
【請求項９】
前記命令は、
ワイヤレス動作の起動に応答して前記無線装置をオンにし、
一定時間の間ビーコンパケットをリスンし、
ビーコンパケットが前記一定時間内に受信される場合、前記ビーコンパケットで受信したパラメータに従って前記発見ウィンドウのタイミングを調節し、
ビーコンパケットが前記一定時間内に受信されない場合、ビーコンパケットを送信するための命令をさらに含む、請求項７に記載の無線デバイス。
【請求項１０】
前記無線デバイスを前記発見可能モードで動作させるための前記命令は、
ランダムなバックオフ時間の間、ビーコンパケットをリスンし、
ビーコンパケットが前記ランダムなバックオフ時間内に受信される場合、前記受信されたビーコンパケット中のパラメータに従って前記発見ウィンドウのタイミングを調節し、
ビーコンパケットが前記ランダムなバックオフ時間内に受信されない場合、ビーコンパケットを送信し、
前記発見ウィンドウの間、プローブ要求パケットをリスンし、
受信されたプローブ要求パケットに関連する情報を保存し、
前記無線デバイスが前記現在の発見ウィンドウにおいてプローブ応答パケット又はビーコンパケットを送信していない場合に、プローブ応答パケットを送信する
ための命令を含む、請求項７に記載の無線デバイス。
【請求項１１】
前記無線デバイスを前記能動的な発見モードで動作させるための前記命令は、
前記能動的な発見モードの起動に応答して、前記周期的な発見間隔の前記発見ウィンドウの間、前記無線装置をオンにし、
前記発見ウィンドウの間、ブロードキャスト要求パケットを送信し、
前記ブロードキャスト要求パケットに応答して、他の無線デバイスによって送信された応答パケットに含まれていた情報を保存する
ための命令を含む、請求項７に記載の無線デバイス。
【請求項１２】
アドホックネットワークにおいて無線デバイスを動作させる方法を実行するための命令でプログラムされたコンピュータ可読記憶媒体であって、前記方法は、
近隣の無線デバイスによる発見を可能にし、かつ近隣の無線デバイスを受動的に発見するように、前記無線デバイスを発見可能モードで動作させるステップを含む、無線アクセス・ポイント又は有線ネットワークを使用することなく無線デバイスが互いに直接的に通信するアドホック動作モードで前記無線デバイスを動作させるステップであって、前記発見可能モードで動作させるステップは、前記発見可能モードの間に、前記無線デバイスの無線装置が電源を入れられる周期的な発見間隔の発見ウィンドウと前記無線デバイスの前記無線装置が電源を切られる前記周期的な発見間隔の節電モードとの間で交互に動作するステップを含み、近隣の無線デバイスによる発見を可能にし且つ近隣の無線デバイスの受動的な発見を可能にしている間、電力は前記発見可能モードにおいて節約される、ステップと、
能動的な発見モード又は前記発見可能モードにある近隣の無線デバイスを能動的に発見するように、前記無線デバイスを能動的な発見モードで動作させるステップとを含む、コンピュータ可読記憶媒体。
【請求項１３】
前記無線デバイスを前記発見可能モードで動作させる前記ステップは、
前記発見ウィンドウの間、プローブ要求パケットをリスンするステップと、
受信されたプローブ要求パケットが確認され、プローブ応答パケットが現在の発見ウィンドウ内で送信されていない場合、識別情報を含んでいるプローブ応答パケットを送信するステップと、
そうでなければ、プローブ応答パケットを送信しないステップとを含む、請求項１２に記載のコンピュータ可読記憶媒体。
【請求項１４】
前記無線デバイスを前記能動的な発見モードで動作させる前記ステップは、
前記能動的な発見モードの起動に応答して、能動的な発見期間の間、前記無線デバイスの前記無線装置をオンにするステップと、
他の無線デバイスが現在のプローブ間隔中のより前の段階においてプローブ要求パケットを送信していない場合に、前記能動的な発見期間の各能動プローブ間隔の間、プローブ要求パケットを送信するステップと、
前記能動的な発見期間の間に受信された受信プローブ応答パケットをリスンするステップと、
前記受信プローブ応答パケットの各々に含まれる情報を保存するステップと、
前記能動的な発見期間が終了すると、前記発見可能モードに戻るステップとを含む請求項１２に記載のコンピュータ可読記憶媒体。
【請求項１５】
前記方法はさらに、
ワイヤレス動作の起動に応じて、前記無線デバイスの無線装置をオンにするステップと、
一定時間の間ビーコンパケットをリスンするステップと、
ビーコンパケットが前記一定時間内に受信される場合、前記ビーコンパケットにおいて受信したパラメータに従って発見ウィンドウのタイミングを調節するステップと、
ビーコンパケットが前記一定時間に受信されない場合、ビーコンパケットを送信するステップとを含む、請求項１２に記載のコンピュータ可読記憶媒体。
【請求項１６】
前記無線デバイスを前記発見可能モードで動作させる前記ステップは、
ランダムなバックオフ時間の間、ビーコンパケットをリスンするステップと、
ビーコンパケットが前記ランダムなバックオフ時間内に受信される場合、受信されたビーコンパケット中のパラメータに従って前記発見ウィンドウのタイミングを調節するステップと、
ビーコンパケットが前記ランダムなバックオフ時間内に受信されない場合、ビーコンパケットを送信するステップと、
前記発見ウィンドウの間、プローブ要求パケットをリスンするステップと、
受信されたプローブ要求パケットに関連する情報を保存するステップと、
前記無線デバイスが前記現在の発見ウィンドウにおいてプローブ応答パケット又はビー
コンパケットを送信していない場合に、プローブ応答パケットを送信するステップとを含む、請求項１２に記載のコンピュータ可読記憶媒体。
【請求項１７】
前記無線デバイスを前記能動的な発見モードで動作させる前記ステップは、
前記能動的な発見モードの起動に応答して、前記周期的な発見間隔の前記発見ウィンドウの間、前記無線デバイスの前記無線装置をオンにするステップと、
前記発見ウィンドウの間、ブロードキャスト要求パケットを送信するステップと、
前記ブロードキャスト要求パケットに応答して、他の無線デバイスによって送信された応答パケットに含まれる情報を保存するステップとを含む、請求項１２に記載のコンピュータ可読記憶媒体。